【事件の表示】
　特願２０１４−　６９８２０「面光源装置および表示装置」拒絶査定不服審判事件〔平成２７年１１月　２日出願公開，特開２０１５−１９１１８１〕について，次のとおり審決する。
【結　論】
　本件審判の請求は，成り立たない。
【理　由】
１　手続の経緯
　本件拒絶査定不服審判事件に係る出願（以下，「本願」という。）は，平成２６年３月２８日の出願であって，同年１０月２９日付けで拒絶理由が通知され，同年１２月１９日に意見書及び手続補正書が提出されたが，平成２７年２月１３日付けで拒絶査定がなされた。
　本件拒絶査定不服審判は，これを不服として，同年５月１８日に請求されたものであって，本件審判の請求と同時に手続補正書が提出され，当審において，平成２８年４月２５日付けで拒絶の理由が通知され，同年６月２３日に意見書及び手続補正書が提出されたものである。
２　本願の請求項１に係る発明
　本願の請求項１に係る発明は，平成２８年６月２３日提出の手続補正書によって補正された特許請求の範囲の請求項１によって特定されるものであるところ，本願の請求項１に係る発明は，次のとおりのものと認められる。
「シート状の本体部と，第１方向に配列された複数の単位プリズムであって，各々が前記第１方向と交差する方向に延びている，複数の単位プリズムと，を有する光学シートと，
　前記光学シートの前記単位プリズムに対面するようにして配置された出光面と，前記第１方向に対向する一対の側面と，を有する導光板と，
　前記光学シートの前記導光板の側とは反対側に配置された反射型偏光分離シートと，
　前記導光板の前記第１方向における一側に位置する前記側面に対面して配置された光源と，を備え，
　前記単位プリズムの配列ピッチが，１０μｍ以上４０μｍ以下であり，
　各単位プリズムは，前記第１方向の一側を向く第１プリズム面と，前記第１方向の他側を向く第２プリズム面と，を含み，
　前記第２プリズム面は，前記第１方向と前記本体部の法線方向との両方に平行な主切断面において，折れ線状に，或いは，折れ線の角部を面取りしてなる形状となる外輪郭を有し，前記第２プリズム面は，前記主切断面において前記第１方向に対する傾斜角度が，前記本体部から最も離間した単位プリズムの先端部の側から，前記本体部に最も近接した単位プリズムの基端部の側へ向けて，しだいに大きくなるように配置された二つ又は三つの要素面を含み，
　前記主切断面において，前記単位プリズムの二つの基端部の中点と当該単位プリズムの前記先端部との前記第１方向に沿ったずれ量ｚの，当該単位プリズムの前記第１方向に沿った幅Ｗｂに対する比（ｚ／Ｗｂ）が，次の条件を満たす，面光源装置。
　０　≦　｜ｚ／Ｗｂ｜　≦　０．０６」（以下，当該発明を「本願発明」という。）
３　当審において通知した拒絶の理由について
　当審において平成２８年４月２５日付けで通知した拒絶の理由（以下，「当審拒絶理由」という。）は，概略，本願の各請求項に係る発明は，特開２０１３−３２７６号公報に記載された発明に基づいて，当業者が容易に発明をすることができたものであるから，特許法２９条２項の規定により特許を受けることができない，というものである。
４　引用例
（１）特開２０１３−３２７６号公報の記載
　当審拒絶理由で引用された特開２０１３−３２７６号公報（以下，「引用文献」という。）は，本願の出願より前に頒布された刊行物であって，当該引用文献には次の記載がある。（下線は，後述する引用発明の認定に特に関係する箇所を示す。）
　ア　「【技術分野】
【０００１】
　本発明は，平行光源とその光を液晶パネル上で拡散する視野拡大シートを用いた液晶表示装置に関するものである。
・・・（中略）・・・
【０００７】
　本発明の課題は，光の拡散特性を容易に制御可能であり，良好な視野角を実現でき，かつ，光の利用効率が高く，コントラストの低下が少ない液晶表示装置を提供することである。
【課題を解決するための手段】
【０００８】
　本発明は，出光面に単位光学要素が複数並列された導光板と，導光板側に単位プリズムが複数配列されたプリズムシートとを備え，画面の上下方向及び左右方向における光の進行方向を制御して，出光面の法線方向に平行な平行光を出射する面光源装置と，シート面内において直交する２方向に配列された第１単位光学形状及び第２単位光学形状を供える視野拡大シートとを用い，画面上下方向及び画面左右方向の光の平行度と拡散性を各々制御することにより，上記課題を解決した。
【発明の効果】
【０００９】
　本発明によれば，その出光面の法線方向に平行な平行光を出射できる面光源装置と，その平行光を，観察者側から見て直交する２方向に拡散する視野拡大シートとを備えることにより，画面の上下方向及び左右方向において，それぞれ独立して光の拡がりを制御でき，全方向にわたって良好な視野角を得ることができる。また，視野拡大シートは，外光を拡散反射しないので，高いコントラストの映像が得られる。」
　イ　「【００１２】
（実施形態）
＜液晶表示装置＞
　まず，本実施形態の表示装置１の全体構成から説明する。
　図１は，本実施形態の表示装置１を説明する図である。図１では，表示装置１のうち，液晶パネル１５，面光源装置２０，及び視野拡大シート４０に注目して示した分解斜視図である。図１及び適宜示す図により表示装置１について説明する。
　表示装置１は，液晶パネル１５，面光源装置２０，視野拡大シート４０を備える液晶表示装置である。また，表示装置１には，説明は省略するが，その他これが表示装置として動作するために必要とされる通常の機器を具備している。」
【図１】
　ウ　「【００１３】
　なお，図中及び以下の説明において，理解を容易にするために，表示装置１の使用状態において，観察者が液晶パネル１５を正面から観察した場合の画面上下方向（鉛直方向）をＹ方向，画面左右方向（水平方向）をＸ方向，厚み方向（奥行方向，観察画面に直交する方向）をＺ方向とする。観察者は，観察者側となるＺ２側から背面側となるＺ１側に向けて，液晶パネル１５の画面の表示を視認する。また，プリズムシート３０及び視野拡大シート４０の厚み方向（Ｚ方向）においては，Ｚ１側は，光の入射側であり，Ｚ２側は光の出射側となる。さらに，特に断りが無い場合，以下の説明において，画面左右方向，画面上下方向とは，この表示装置１の使用状態における画面左右方向（Ｘ方向），画面上下方向（Ｙ方向）であるとする。
【００１４】
　液晶パネル１５は，透過型の映像表示部であり，視野拡大シート４０側（Ｚ２側）に配置された上偏光板１３と，面光源装置２０側（Ｚ１側）に配置された下偏光板１４と，上偏光板１３と下偏光板１４との間に配置され，マトリクス状に配列された液晶セル１２とを有している。
　上偏光板１３及び下偏光板１４は，入射した光を直交する二つの偏光成分（Ｐ波及びＳ波）に分解し，一方の方向（透過軸と平行な方向）の偏光成分（例えば，Ｐ波）を透過させ，この一方の方向に直交する他方の方向（吸収軸と平行な方向）の偏光成分（例えば，Ｓ波）を吸収する機能を有している。
　液晶セル１２は，１つの画素を形成する領域毎に，電界印加され，この電界印加によって液晶セル１２の配向方向が，変化する。
【００１５】
　面光源装置２０から出射し，下偏光板１４を透過した特定方向の偏光成分（例えば，Ｐ波）は，電界印加された液晶セル１２を通過する際にはその偏光方向を９０°回転させ，電界印加されていない液晶セル１２を通過する際にはその偏光方向を維持する。従って，液晶セル１２への電界印加の有無によって，下偏光板１４を透過した特定方向の偏光成分（Ｐ波）が，上偏光板１３を透過するか，あるいは，上偏光板１３で吸収されて遮断されるかを制御できる。そして，このような液晶セル１２への電界印加により，液晶パネル１５では，面光源装置２０からの光の透過又は遮断を画素毎に制御し，映像を表示可能とする。
　本実施形態の液晶パネル１５は，一例としてＴＮ型のものとするが，これに限らず，他の型の液晶パネル（ＳＴＮ，ＶＡ，ＭＶＡ，ＩＰＳ，ＯＣＢ等）を用いてもよい。
【００１６】
＜面光源装置＞
　次に，本実施形態の面光源装置２０について説明する。
　図２は，本実施形態の面光源装置２０の構成を説明する図である。図２（ａ）には，図１にＡ１−Ａ２で示した線に沿った面光源装置２０の矢視断面図を示し，図２（ｂ）には，図１にＢ１−Ｂ２で示した線に沿った面光源装置２０の矢視断面図を示す。
　面光源装置２０は，図１に示すように，液晶パネル１５の背面側（Ｚ１側）に配置され，液晶パネル１５を背面側から照明する照明装置である。
　面光源装置２０は，図１及び図２に示すように，
導光板２１と，光源部１０と，プリズムシート３０と，反射シート１１とを備えるエッジライト型の面光源装置
【図２】
　エ　「【００１７】
  導光板２１は，光源部１０から入射した光を，導光板２１内で反射作用等を受けながら光源部１０側とは対向する端部側へ導光し，その導光過程で，徐々に出光面（プリズムシート３０側の面）から出射する部材である。
導光板２１は，基部２２と，出射側単位光学要素部２３と，裏面側単位光学要素部２５とを有し
 ・・・（中略）・・・
【００１８】
  
出射側単位光学要素部２３は
基部２２のプリズムシート３０側
の面に形成され
射側単位光学要素部２３には，複数の出射側単位光学要素２４が並列され
  
出射側単位光学要素２４は，柱状であり
画面上下方向
を長手方向とし
この長手方向と直交する方向である画面左右方向
に複数並列されている
　オ　「【００２７】
　図１に戻って，光源部１０について説明する。
　
光源部１０は，導光板２１の基部２２の板状の対向する２組の側面のうち，出射側単位光学要素２４の長手方向（Ｙ方向）両端となる一組の側面２１ａ，２１ｂのうち，一方の面
に対して対向する位置に，その面に沿って配置される
　カ　「【００２９】
＜プリズムシート＞
　次に，プリズムシート３０について説明する。
　図１及び図２に示すように，
プリズムシート３０は，シート状に形成された本体部３１と，入光面となる本体部３１の導光板２１側（Ｚ１側）の面に設けられたプリズム部３２とを有している
　本体部３１は，その導光板２１側（Ｚ１側）にプリズム部３２を支持する平板状のシート状の部材である。そして，本体部３１の導光板２１側とは反対側の面が出光面３０ａとなる。本実施形態の出光面３０ａは，平坦で平滑な面として形成されている。しかし，出光面３０ａは，これに限らず，微小な凹凸が付された面，いわゆるマット面としてもよく，必要に応じた表面形態を適用することが可能である。
【００３０】
　
プリズム部３２には，
複数の単位プリズム３３が本体部３１の入光側（Ｚ１側）の面に，そのシート面に沿って複数並列されて形成されている。
　単位プリズム３３は，柱状であり，画面左右方向（Ｘ方向）を長手方向とし，その長手方向に所定の断面形状を維持して延在し，かつ，長手方向に直交する画面上下方向（Ｙ方向）に複数並列されている。
　ここで，シート面とは，各光学シート等において，そのシート全体として見たときにおける，シートの平面方向となる面を示すものであり，本明細書中，及び，特許請求の範囲においても同一の定義として用いている。例えば，プリズムシート３０のシート面は，プリズムシート３０全体として見たときにおける，プリズムシート３０の平面方向となる面であり，プリズムシート３０の出光面３０ａと平行であり，液晶パネル１５の観察面と平行な面である。
・・・（中略）・・・
【００３２】
　図４は，本実施形態のプリズムシート３０のプリズム部３２を説明する図である。図４では，図２（ａ）に示す断面の一部を拡大して示した図である。
　図４に示すように，本実施形態の単位プリズム３３は，本体部３１の導光板２１側の面から導光板２１側（Ｚ１側）に突出した形状を有しており，本体部３１のシート面と平行な方向における単位プリズム３３の幅は，本体部３１の法線方向（Ｚ方向）に沿って本体部３１から離れるにつれて小さくなっている。
　本実施形態の
単位プリズム３３は，第１斜面３４と，第２斜面３５を有する略三角柱形状である。この第２斜面３５は，傾斜角度が異なる複数の平坦面３５ａ，３５ｂを有し，第１斜面３４と対向している。そして，隣り合う単位プリズム３３の一方が有する第１斜面３４と他方が有する第２斜面３５が向き合うように配列されている。
　
単位プリズム３３の並列方向は，光源部１０から導光板２１への光の供給方向に平行であり，その並列方向において，第１斜面３４は，光源部１０側となっている
【図４】
　キ　「【００３４】
　図４に示すように，
第１斜面３４とプリズムシート３０のシート面の法線Ｈとがなす角（入射面角）は，φ１である。また，第２斜面３５の各平坦面のうち，頂点ｔ側（Ｚ１側）の平坦面３５ａと法線Ｈとがなす角（第１反射面角）は，φ２である。第２斜面３５の各平坦面のうち，本体部３１側（Ｚ２側）の平坦面３５ｂと法線Ｈとがなす角（第２反射面角）は，φ３である。
　また，単位プリズム３３のピッチはＰであり，断面形状において本体部３１側の幅がＷである。本実施形態では，ピッチＰは，幅Ｗに等しい。さらに，単位プリズム３３の高さ（厚み方向における単位プリズム３３間の谷底となる点から頂点ｔまでの寸法）がＨである。」
　ク　「【００６５】
（実施例及び比較例の比較）
　ここで，導光板２１，プリズムシート３０，視野拡大シート４０の実施例又は比較例に相当する具体例を作成し，本実施形態の表示装置１の実施例及び比較例を作成し，その光学特性等を評価した。導光板２１，プリズムシート３０，視野拡大シート４０の各具体例は，以下の通りである。
【００６６】
（導光板２１の具体例）
　導光板２１の具体例Ｉ，ＩＩの各部の寸法等は以下の通りである。
　具体例Ｉ：
　出射側単位光学要素２４：ピッチＰａ＝５０μｍ，頂角θ３＝９０°
　裏面側単位光学要素２６：ピッチＰｂ＝２００μｍ，頂角θ６＝１７８°
　導光板２１の総厚：０．８ｍｍ
　具体例ＩＩ：
　出射側単位光学要素２４：ピッチＰａ＝５０μｍ，頂角θ３＝９０°ただし，頂角は丸められ，頂部が出射側に凸となる曲面状
　裏面側単位光学要素２６：ピッチＰｂ＝２００μｍ，頂角θ６＝１７８°
　導光板２１の総厚：０．８ｍｍ
　具体例Ｉ，ＩＩはいずれも熱可塑性アクリル樹脂製である。
【００６７】
（プリズムシート３０の具体例）
　プリズムシート３０の例Ａ，Ｂ，Ｃの単位プリズムの各部の寸法等は以下の通りである。
　
具体例Ａの単位プリズム
　
入射面角φ１＝３５．０°，第１反射面角φ２＝４０．３°，第２反射面角φ３＝２６．８°，高さＨ＝３６．７μｍ
　具体例Ｂの単位プリズム：
　入射面角φ１＝３５．０°，第１反射面角φ２＝３５．５°，第２反射面角φ３＝３０．５°，高さＨ＝３７．１μｍ
　具体例Ｃの単位プリズム：
　入射面角φ１＝３３．０°，第１反射面角φ２＝３３°，高さＨ＝３８．５μ（すわなち，二等辺三角柱状）
　
具体例Ａ〜Ｃは，いずれも単位プリズムのピッチＰ＝５０μｍ
　また，
具体例Ａ，Ｂにおいて，第２斜面の各平坦面の傾斜角度が変化する境界点の位置を，単位プリズムの高さを１００％としたとき，単位プリズムの基底面から境界点までの高さを５０％とした
　さらに，具体例Ａ，Ｂ，Ｃのプリズムシートのプリズム部３２は，紫外線硬化型ウレタンアクリレート樹脂のプレポリマーを主成分とする紫外線硬化樹脂製である。」
　ケ　「【００７０】
（表示装置１の実施例１）
　具体例Ｉの
導光板の出射側単位光学要素２４稜線方向と直交する側面に面する位置に点光源１０ａとしてＬＥＤ光源からなる光源部１０を配置
　具体例Ｉの
導光板の観察者側には，観察者側から見て出射側単位光学要素２４の並列方向と直交する方向に単位プリズムが並列された具体例Ａのプリズムシートを，プリズム部３２側を導光板側として配置し，面光源装置を作製
　この面光源装置の観察者側に，画面サイズ９．７インチのＴＮ型の液晶パネル１５を積層して，その観察者側表面に具体例イの視野拡大シートを配置して粘着剤で貼合し，表示装置１の実施例１とした。
　以下，略同様の工程を経て，表示装置１の実施例２〜５及び比較例１〜３を作成した。
　実施例１〜５及び比較例１〜３の導光板，プリズムシート，視野拡大シートの組み合わせは，以下の表１に示す通りである。なお，実施例４の表示装置は，光源部１０を液晶表示装置の画面左右方向の一端に配置し，導光板，プリズムシート及び視野拡大シートの各光学形状や単位プリズムを，実施例１とは直交する方向に変えて配置した。」
（２）引用文献に記載された発明
　実施例１として開示された発明は，段落【００３２】の「単位プリズム３３の並列方向は，光源部１０から導光板２１への光の供給方向に平行であり，その並列方向において，第１斜面３４は，光源部１０側となっている」との記載を参照すれば，その単位プリズム３３の形状からみて，光源部１０は，導光板２１の基部２２の板状の対向する２組の側面のうち，出射側単位光学要素２４の長手方向両端となる一組の側面２１ａ，２１ｂの
一方の面のみ
　なお，引用文献の【００２７】の「出射側単位光学要素２４の長手方向」との記載，【００７０】の「出射側単位光学要素２４稜線方向」との記載，同【００７０】の「出射側単位光学要素２４の並列方向と直交する方向」とは，いずれも同じ方向を指し示すことは明らかであるから，混乱を避けるため，これらを「出射側単位光学要素２４の長手方向」と統一して表記する。
　
「導光板２１と，光源部１０と，プリズムシート３０と，反射シート１１とを備えるエッジライト型の面光源装置２０であって（【００１６】），
　導光板２１は，基部２２と，出射側単位光学要素部２３と，裏面側単位光学要素部２５とを有し（【００１７】），
　前記出射側単位光学要素部２３は，基部２２のプリズムシート３０側の面に形成され，前記出射側単位光学要素部２３には，複数の出射側単位光学要素２４が並列され， 出射側単位光学要素２４は，柱状であり，断面形状を維持して，画面上下方向を長手方向とし，この長手方向と直交する方向である画面左右方向に複数並列され（段落【００１８】），
　光源部１０は，導光板２１の基部２２の板状の対向する２組の側面のうち，出射側単位光学要素２４の長手方向両端となる一組の側面２１ａ，２１ｂの一方の面に対して対向する位置に，その面に沿って配置され（【００２７】），
　前記プリズムシート３０は，シート状に形成された本体部３１と，入光面となる本体部３１の前記導光板２１側の面に設けられたプリズム部３２とを有しており（【００２９】），
　前記プリズム部３２には，複数の単位プリズム３３がシート面に沿って複数並列されて形成されており（【００３０】），
　前記プリズムシート３０の前記単位プリズム３３は，第１斜面３４と，第２斜面３５を有する略三角柱形状であり，前記第２斜面３５は，傾斜角度が異なる複数の平坦面３５ａ，３５ｂを有し，第１斜面３４と対向しており，隣り合う単位プリズム３３の一方が有する第１斜面３４と他方が有する第２斜面３５が向き合うように配列されたものであり（【００３２】），
　第１斜面３４は，光源部１０側であり（【００３２】），
　前記第１斜面３４と前記プリズムシート３０の前記シート面の法線Ｈとがなす角を入射面角φ１とし，前記第２斜面３５の各平坦面のうち，頂点ｔ側の平坦面３５ａと法線Ｈとがなす角を第１反射面角φ２とし，前記第２斜面３５の前記各平坦面のうち，前記本体部３１側の前記平坦面３５ｂと法線Ｈとがなす角を第２反射面角φ３とした場合に（【００３４】），
　入射面角φ１＝３５．０°，第１反射面角φ２＝４０．３°，第２反射面角φ３＝２６．８°であり，その単位プリズム３３の高さＨ＝３６．７μｍ，ピッチＰ＝５０μｍであり，前記第２斜面３５の各平坦面の傾斜角度が変化する境界点の位置を，単位プリズム３３の高さを１００％としたとき，単位プリズム３３の基底面から境界点までの高さを５０％とし（【００６７】），
　観察者側から見て出射側単位光学要素２４の長手方向に前記単位プリズム３３が並列された（【００７０】），
　面光源装置２０。」（以下，「引用発明」）という。
５　対比
（１）　引用発明の「光源部１０」，「導光板２１」，「プリズムシート３０」及び「面光源装置２０」は，それぞれ，本願発明の「光源」，「導光板」，「光学シート」及び「面光源装置」に相当する。
　また，引用発明の「単位プリズム３３」，「本体部３１」，「第１斜面３４」，「第２斜面３５」，「平坦面３５ａ，３５ｂ」，「頂点ｔ」及び「ピッチＰ」は，それぞれ，本願発明の「単位プリズム」，「本体部」，「第１プリズム面」，「第二プリズム面」，「要素面」，「先端部」及び「ピッチ」に相当する。
（２）
　ア　引用発明は，「本体部３１」と「プリズム部３２」で「プリズムシート３０」を構成するのであるから，本体部もまたシート状であることは明らかである。してみれば，引用発明の「本体部３１」は「シート状」であるといえる。
　イ　本願発明の「基端部」とは，段落【００５４】に「第１プリズム面７１および第２プリズム面７２が本体部６５にそれぞれ接続する位置において，単位プリズム７０の基端部７５ｂが画成されている。」と記載されていることから，単位プリズムの第１プリズム面及び第２プリズム面が本体部に接続する位置を指すものと認められる。引用発明においても，図２に示されたプリズム面の形状等からみて，引用発明の「単位プリズム３３」が「二つの基端部」を有していることは明らかである。
　ウ　引用発明の「プリズムシート３０」は，「シート状に形成された本体部３１と・・・プリズム部３２とを有し」，「前記プリズム部３２には，複数の単位プリズム３３が・・・複数並列されて形成されており」，「観察者側から見て出射側単位光学要素２４の長手方向に前記単位プリズム３３が並列され」，かつ「
略三角柱形状
　したがって，引用発明の「プリズムシート３０」は，本願発明の「シート状の本体部と，第１方向に配列された複数の単位プリズムであって，各々が前記第１方向と交差する方向に延びている，複数の単位プリズムと，を有する」との要件を満たす。
（３）　引用発明の「プリズムシート３０」は，「シート状に形成された本体部３１と，入光面となる本体部３１の前記導光板２１側の面に設けられたプリズム部３２とを有」するのものであり，「プリズム部３２」には，複数の「単位プリズム３３」が形成されているのであるから，「プリズムシート３０の単位プリズム３３に対面するようにして配置」されている。したがって，引用発明の「導光板２１」は，本願発明の「光学シートの前記単位プリズムに対面するようにして配置」されるとの要件を満たす。
（４）　引用発明の「出射側単位光学要素２４の長手方向」は本願発明の「第１方向」に対応するのであるから，引用発明の「導光板２１」の「出射側単位光学要素２４の長手方向両端となる一組の側面２１ａ，２１ｂ」は，本願発明の「導光板」の「第１方向に対向する一対の側面」に相当する。
（５）　引用発明の「プリズムシート３０」は，「観察者側から見て出射側単位光学要素２４の長手方向に前記単位プリズム３３が並列され」るのであるから，引用発明の「単位プリズム３３」を構成する「第１斜面３４」は本願発明の「第１方向の一側を向く」との要件を満たし，「第２斜面３５」は本願発明の「第１方向の他側を向く」との要件を満たすことは明らかである。
（６）　引用発明の「プリズムシート３０」は「略三角形柱状」であって，かつ「観察者側から見て出射側単位光学要素２４の長手方向」に並列されるものであり，かつ「単位プリズム３３」の「第２斜面３５」は傾斜角度が異なる「複数の平坦面３５ａ，３５ｂ」を有するのであるから，引用発明の「第２斜面３５」は，本願発明の「前記第１方向と前記本体部の法線方向との両方に平行な主切断面において，折れ線状に，或いは，折れ線の角部を面取りしてなる形状となる外輪郭を有し」との要件を満たす。
（７）　引用発明の「単位プリズム３３」は，「前記第１斜面３４と前記プリズムシート３０の前記シート面の法線Ｈとがなす角を入射面角φ１とし，前記第２斜面３５の各平坦面のうち，頂点ｔ側の平坦面３５ａと法線Ｈとがなす角を第１反射面角φ２とし，前記第２斜面３５の前記各平坦面のうち，前記本体部側の前記平坦面３５ｂと法線Ｈとがなす角を第２反射面角φ３とした場合に」「入射面角φ１＝３５．０°，第１反射面角φ２＝４０．３°，第２反射面角φ３＝２６．８°」とされている。ここで，上記「シート面の法線」と「出射側単位光学要素２４の長手方向」（本願発明の「第１方向」に相当）とのなす角は９０°であるから，第前記１反射面角及び前記第２反射面角を「出射側単位光学要素２４の長手方向」に対する傾斜角度で表現すると，それぞれ４９．７°，６３．２°となり，その値はしだいに大きくなっている。
　してみれば，引用発明の「第２斜面３５」は，「前記主切断面において前記第１方向に対する傾斜角度が，前記本体部から最も離間した単位プリズムの先端部の側から，前記本体部に最も近接した単位プリズムの基端部の側へ向けて，しだいに大きくなるように配置された二つ又は三つの要素面を含」むとの要件を満たす。
（８）　引用発明の「単位プリズム３３」は，「前記第１斜面３４と前記プリズムシート３０の前記シート面の法線Ｈとがなす角を入射面角φ１とし，前記第２斜面３５の各平坦面のうち，頂点ｔ側の平坦面３５ａと法線Ｈとがなす角を第１反射面角φ２とし，前記第２斜面３５の前記各平坦面のうち，前記本体部側の前記平坦面３５ｂと法線Ｈとがなす角を第２反射面角φ３とした場合に」，「入射面角φ１＝３５．０°，第１反射面角φ２＝４０．３°，第２反射面角φ３＝２６．８°であり，その単位プリズム３３の高さＨ＝３６．７μｍ」とし，「前記第２斜面３５の各平坦面の傾斜角度が変化する境界点の位置を，単位プリズム３３の高さを１００％としたとき，単位プリズム３３の基底面から境界点までの高さを５０％」とするものである。ここで，「単位プリズム３３」の底辺の幅のうち，「第１斜面３４」の部分（以下，この幅を「Ｗ１」と表記する。）は３６．７×ｔａｎ（３５×π／１８０）μｍとなり，「第２斜面３５」の部分（以下，この幅を「Ｗ２」と表記する。）は３６．７／２×［ｔａｎ（４０．３×π／１８０）＋ｔａｎ（２６．８×π／１８０）］μｍとなる。そして，「単位プリズム３３」の底辺の幅に対する，「単位プリズム３３」の二つの基端部の中点と当該「単位プリズム３３」の「頂点ｔ」とのずれ量の比は，以下のように表すことができる。
　｜Ｗ１−（Ｗ１＋Ｗ２）／２｜／（Ｗ１＋Ｗ２）
　これを計算すると，概ね０．００８６程度となるから，引用発明の「単位プリズム３３」は，本願発明の「前記主切断面において，前記単位プリズムの二つの基端部の中点と当該単位プリズムの前記先端部との前記第１方向に沿ったずれ量ｚの，当該単位プリズムの前記第１方向に沿った幅Ｗｂに対する比（ｚ／Ｗｂ）が次の条件を満たす　０　≦　｜ｚ／Ｗｂ｜　≦　０．０６」との要件を満たしている。
（９）引用発明は，「導光板２１の基部２２の板状の対向する２組の側面のうち，出射側単位光学要素２４の長手方向両端となる一組の側面２１ａ，２１ｂの一方の面に対して対向する位置に，その面に沿って配置され」る「光源部１０」を有するのであるから，引用発明と本願発明とは，「導光板の第１方向における一側に位置する側面に対面した配置された光源」を備える点で一致している。
（１０）前記（１）ないし（９）に照らせば，本願発明と引用発明とは，
「シート状の本体部と，第１方向に配列された複数の単位プリズムであって，各々が前記第１方向と交差する方向に延びている，複数の単位プリズムと，を有する光学シートと，
　前記光学シートの前記単位プリズムに対面するようにして配置された出光面と，前記第１方向に対向する一対の側面と，を有する導光板と，
　前記導光板の前記第１方向における一側に位置する前記側面に対面して配置された光源と，を備え，
　各単位プリズムは，前記第１方向の一側を向く第１プリズム面と，前記第１方向の他側を向く第２プリズム面と，を含み，
　前記第２プリズム面は，前記第１方向と前記本体部の法線方向との両方に平行な主切断面において，折れ線状に，或いは，折れ線の角部を面取りしてなる形状となる外輪郭を有し，前記第２プリズム面は，前記主切断面において前記第１方向に対する傾斜角度が，前記本体部から最も離間した単位プリズムの先端部の側から，前記本体部に最も近接した単位プリズムの基端部の側へ向けて，しだいに大きくなるように配置された二つ又は三つの要素面を含み，
　前記主切断面において，前記単位プリズムの二つの基端部の中点と当該単位プリズムの前記先端部との前記第１方向に沿ったずれ量ｚの，当該単位プリズムの前記第１方向に沿った幅Ｗｂに対する比（ｚ／Ｗｂ）が，次の条件を満たす，面光源装置。
　０　≦　｜ｚ／Ｗｂ｜　≦　０．０６」
である点で一致し，次の点で相違する。
相違点１：
　本願発明は，「前記単位プリズムの配列ピッチが，１０μｍ以上４０μｍ以下」であるのに対し，引用発明は５０μｍである点。
相違点２：
　本願発明は，「光学シートの導光板の側とは反対側に配置された反射型偏光分離シート」を具備するのに対し，引用発明は反射型偏光分離シートを具備しない点。
６　判断
（１）相違点について
　ア　相違点１について
　引用発明では，「単位プリズム３３」のピッチは５０μｍとされているものの，引用文献の段落【００４２】には，「単位プリズム３３のピッチＰは，特に限定されないが，通常１０〜１００μｍである。」と記載されており，１０〜１００μｍの範囲において，５０μｍ以外のピッチとすること自体を否定する説明は何ら見出せず，５０μｍという値そのものに格別な理由を見出せないから，引用発明において，１０〜１００μｍの範囲から実際に製造しようとする製品に応じて，適宜設定し得るものである。
　また，プリズムシートなどの光学部材において，その部材を薄型化することは一般的な課題であって（一例として，特開２０１０−２３１８９６号公報の段落【００３０】には，ピッチ幅を小さくすると，プリズムシート厚が薄くなるので好ましいことが記載されている。），引用発明において，薄型化するために，そのピッチ幅を，引用文献中に開示された「１０〜１００μｍ」という範囲中で，５０μｍよりも小さな「１０〜４０μｍ」の範囲内の値に変更することは，当業者が適宜なし得た設計変更にすぎない。
　そして，光学部材を薄型化する際には，その光学特性を変動させないように，部材の相似関係を保ったまま比例縮小するのが技術常識であるから，当業者は，引用発明のピッチ幅を変更したとしても，単位プリズム３３の二つの基端部の中点と当該単位プリズム３３の頂点ｔとの出射側単位光学要素２４の長手方向に沿ったずれ量の，出射側単位光学要素２４の長手方向に沿った当該単位プリズム３３の幅に対する比を変更させることはないものと認められる。
　イ　相違点２について
　面光源装置を備えた液晶表示装置の技術分野において，光源が発する光の利用効率を改善し，輝度を向上させるために，反射型偏光分離シートを面光源装置に設けることは，本件出願より前に周知の技術である（例えば，特開２０１３−７７４７３号公報の段落【００３１】，【００３２】及び図１や特開２０１０−１４００３５号公報の段落【００２３】，【００２４】及び図１を参照。）。
　引用発明の面光源装置２０は液晶表示装置に用いられるものである（引用文献の【００１２】等の記載を参照。）ところ，引用発明を用いた液晶表示装置における光の利用効率を改善し，輝度を向上させるために，引用発明に前記周知技術を適用して，反射型偏光分離シートを設けることは，当業者が容易に想到し得たことである。
（２）効果について
　本願発明の奏する効果は，引用発明に基づいて，当業者が予測できた程度のものである。
（３）請求人の主張について
　請求人は，平成２８年６月２３日に提出した意見書（以下，単に「意見書」という。）において，以下のように主張している。
　
　ア　課題について
　請求人は，意見書の第７段落において，引用文献には本願の課題がない旨主張している。
　しかし，本願の課題の有無にかかわらず，引用発明に対して反射型偏光分離シートを適用する動機付けとなるに足る課題の存在が認められることは，上記６（１）イにおいて既に検討したとおりである。
　イ　ピッチ幅について
　請求人は，意見書の第８〜９段落において，配列ピッチを設計事項と判断することは誤りである旨主張しているが，配列ピッチを本願発明のようなものとすることについて進歩性が認められないことは，上記 ６（１）アにおいて既に検討したとおりである。
（４）まとめ
　以上のとおりであるから，本願発明は，引用発明に基づいて，当業者が容易に発明をすることができたものである。
７　むすび
　本願の請求項１に係る発明は，引用発明に基づいて，当業者が容易に発明をすることができたものであるから，本願は，特許法２９条２項の規定により特許を受けることができない。
　よって，結論のとおり審決する。